(57)【特許請求の範囲】
【請求項１】
短冊形状の薄板材からなり、短手方向略中央に長手方向に沿って折り曲げ線を設けるとともに該折り曲げ線と長手側端縁との間に短手側の一端縁から長手側の端縁に渡って斜め方向の折り込み線を設けて折り込み角部を形成したホルダ部と、前記折り込み角部の短手側の端縁に短手方向に沿って設けられたペン本体とを備え、前記折り込み角部を内側に折り込み、折り曲げ線でホルダ部を折り曲げたときに前記ペン本体の筆記部がホルダ部から突出して筆記可能状態となることを特徴とする筆記具
【請求項２】
前記ホルダ部の短手方向略中央に長手方向に沿って設けられた折り曲げ線が２本であって、その２本の折り曲げ線によってホルダ部中央に長手方向に沿った底壁が形成されてなる請求項１記載の筆記具
【発明の詳細な説明】
【技術分野】
【０００１】
本発明は、使用しないときにはホルダ部を扁平に展開させることによって嵩張ることなく持ち運ぶことができ、さらには栞などとしても利用することが可能な筆記具に関する。
【背景技術】
【０００２】
この種の筆記具としては、例えば特許文献１や特許文献２に開示されている提案がある。これらのものは折り曲げ線を設けたシート体でホルダ部を形成し、筆記具として使用するときには前記折り曲げ線でホルダ部を折り曲げることによって扁平な状態から断面視で筒形状あるいはＶ字形状へと変形させ、筆記可能な形態と剛性とを確保するものである。
【先行技術文献】
【特許文献】
【０００３】
【特許文献１】特開平１１−１１５３６５号公報
【特許文献２】特開２０１０−８３１０４号公報
【発明の概要】
【発明が解決しようとする課題】
【０００４】
しかしながら、これら従来案はいずれも厚みがあって嵩張るペン本体がホルダ部の長手方向に沿って配設された構造をとっている。そのため、例えホルダ部を扁平形状に変形させたとしても、ノート等に挟みこむ際にはシート体の厚みにペン本体の軸部の径寸法が加わることになり、栞としての実際的な使用に適するものではなかった（具体的には、仮に０．５ミリの厚みを有するシート体で径寸法２ミリの軸部を２方向から保持した場合、最小限でも計３ミリの膨らみが生じる訳で、この厚みを有する物品を本やノート等に挟みこんで携帯すると、これらの挟み面に窪み等の重大な瑕疵が生じるおそれがある）。
【０００５】
また前記従来案では使用時にはホルダ部からペン先端部を突出させなければならず、そのための出没機構も別途に必要であった。
【０００６】
本発明は、このような形態をとる従来の筆記具の問題点を解消すべくなされたもので、その目的は、構造が簡単で、不使用時には携帯しやすいように嵩張らない形態に変化させることができ、栞としても使うことのできる筆記具を提供することにある。
【課題を解決するための手段】
【０００７】
前記目的を達成するために本発明の筆記具は、略短冊形状の薄板材からなり、幅方向略中央に長手方向に沿って折り曲げ線を設けるとともに該折り曲げ線と長手側端縁との間に短手側の一端縁から長手側の端縁に渡って斜め方向の折り曲げ線を設けて折り込み角部を形成したホルダ部と、前記折り込み角部の短手側の端縁に短手方向に沿って配設されたペン本体とを備え、前記折り込み角部を内側に折り込み、折り曲げ線でホルダ部を折り曲げたとき、前記ペン本体の筆記部が筆記可能な状態に突出することを特徴とするものである
【０００８】
かかる構成をとることによって本発明の筆記具は、ホルダ部を展開した状態では、厚みがあって嵩張るペン本体がホルダ部の短手側端縁に短手方向に沿って配された形態となる。したがって、このペン本体の部分を本やノート等の挟み込み面の外側に出し、薄板で形成されたホルダ部のみを挟み込み面内に挟み込むことによって本やノート等を痛めることなく、栞としての実際的な使用に耐えうる。また折り込み角部を内側に折り込み、折り曲げ線でホルダ部を折り曲げるだけでペン本体が反転移動し長手方向に沿って筆記可能な状態となるため、ペン本体の出没機構を別途に設ける必要がなく、構造が簡単となる利点がある。
【０００９】
なお好ましくは、前記したホルダ部の幅方向略中央に長手方向に沿って設けられた折り曲げ線を２本とし、その間に底壁を形成する。
【００１０】
これによって、折り曲げた状態にしたときに幅方向の厚みが増して握りやすくなり、加えて幅方向の剛性も高まるという利点が生じる。
【発明の効果】
【００１１】
本発明の筆記具では、構造が簡単で、不使用時には携帯しやすいように嵩張らない形態に変化させることができ、栞としても使うことができるという利点がある。
【図面の簡単な説明】
【００１２】
【図１】本発明の筆記具の第１実施例における、（ａ）はホルダ部を展開した状態、（ｂ）は途中経過で折り込み角部を折り込んだ状態、（ｃ）は筆記可能に折り畳まれた最終形態を示す斜視図である。
【図２】本発明の筆記具の第２実施例におけるホルダ部を展開した状態を示しており、（ａ）は平面図、（ｂ）は側面図、（ｃ）は斜視図である。
【図３】本発明の筆記具の第２実施例における筆記可能状態になるまでの途中経過を順次示しており、（ａ）は折り込み角部を折り込んだ状態、（ｂ）は一方の側壁を折り曲げた状態、（ｃ）は筆記可能となった最終形態を示す斜視図である。
【図４】本発明の筆記具の第２実施例における筆記可能状態になるまでの途中経過を順次示しており、（ａ）はホルダ部を展開した状態、（ｂ）は折り込み角部を折り込んだ状態、（ｃ）は一方の側壁を折り曲げた状態、（ｄ）は両側壁を折り曲げた状態を示す正面図である。
【図５】本発明の筆記具の第３実施例における、（ａ）は筆記可能に折り畳まれた最終形態、（ｂ）はホルダ部を展開した状態、（ｃ）は携帯し易いように折り畳んだ状態を示す斜視図である。
【発明を実施するための形態】
【００１３】
以下、本発明にかかる筆記具の実施例を図１に基づき説明するが、これに限定されるものではない。
【実施例１】
【００１４】
図において、本発明の筆記具Ａはホルダ部１１、ペン本体１２およびペン本体１２に装着するキャップ１３とからなっている。
なお便宜上、ホルダ部長手方向のうちペン本体が設けられている側を前方あるいは正面とし、左右は正面視で向かって左、向かって右の意であるとして以降の説明をおこなう。
【００１５】
前記筆記具Ａのうちホルダ部１１は、合成樹脂からなり平面視で矩形薄板形状に形成されている。合成樹脂材は種類を特に限定するものではないが、本発明の使用形態を鑑みた場合、折り曲げ特性に優れるポリプロピレンなどが好適であり、厚みとしては筆記の際の筆圧等に耐えうる強度などを勘案すると０．５ミリ以上が望ましい。
【００１６】
このホルダ部１１には、幅方向略中央に長手方向に沿う平行な２本の折り曲げ線１１ａ・１１ｂが設けられており、これによって底壁１４および左右の側壁１５・１６が形成されている。また、短手側前端縁の前記折り曲げ線よりも外側の位置から長手側端縁に渡って斜め４５度の角度（前端縁に対して）を有する左右２本の折り込み線１１ｃ・１１ｄが設けられ、これによって形成される左右の折り込み角部１７・１８の一方の前端縁（ここでは右側の折り込み角部１８としている）にはペン本体１２を支持するための支持部１９が延設されている。支持部１９は、中央部側が開口し外側が閉じられた筒形状をしており、開口部の周縁からはさらに開口部の外径よりも小径な外径をもつ蓋止め１９ａが延設されている。
【００１７】
ペン本体１２は、一般的なボールペンの中軸部を用いたものであって、筆記部１２ａと、この筆記部１２ａにインクを供給する軸部（図示せず）とで構成されおり、先端側を中央に向け、軸部は前記筒体形状の支持部１９内に嵌挿収納されている。なお、ペン本体１２は支持部１９に固着されたものであってもよいが、カートリッジ形式の挿脱自在なものとして、インクが無くなれば新たなペン本体と交換できるものであってもよい。
【００１８】
キャップ１３は前記支持部１９と略同じ外径をもち天部が閉じられた筒体形状をしており、支持部１９の蓋止め１９ａに着脱自在に嵌合してペン本体１２の筆記部１２ａを保護するものである。
【００１９】
次に、この筆記具Ａの使用方法について説明する。
【００２０】
まず、筆記具として使用しない場合は、図１の（ａ）に示すようにホルダ部１１を展開した扁平な状態にしておく。
【００２１】
このホルダ部１１を展開した状態のとき、厚みがあって嵩張るペン本体１２はホルダ部１１の前端縁に位置し、短手方向に沿った状態にある。したがって栞として使用するときには、このペン本体１２を本やノート等の挟み込み面の外側に出し、ホルダ部１１の本体部分のみを挟み込めば挟み込み面を痛めることがない。
【００２２】
次に、筆記具として使用する場合は、最初にホルダ部１１に形成されている左右の折り込み角部１７．１８をそれぞれ折り込み線１１ｃ・１１ｄで内側に折り込み、図１（ｂ）の状態とする。
【００２３】
折り込み線は４５度の角度をもっているため、ペン本体１２の位置がこのときにホルダ部１１の前端縁に沿った状態から反転しながら９０度回転移動して長手方向に沿った状態へと移り変わり、筆記部１２ａがホルダ部１１から突出する。
【００２４】
最後に、長手方向に沿って設けられている折り曲げ線１１ａ・１１ｂでホルダ部１１を折り曲げて側壁１５・１６を立ち上げる。
【００２５】
これによって平坦な薄板状のホルダ部１１が正面視で略コ字形状へと変化し、筆記の際に加わる筆記圧に抗する剛性を確保して筆記可能になる。
【００２６】
なお、各部位の寸法は適宜であるが、例えば底壁１４の幅方向の長さは、ペン本体１２の軸部の径寸法を標準的な２ミリとし筒体形状の支持部１９の周壁肉厚を１ミリとした場合、４ミリにわずかに満たない程度に設定しておくと、ホルダ部１１を握った際に立ち上げた側壁１５・１６が支持部１９を強く挟み込んでペン本体１２がぐらつかず、剛性が高まるという利点が生じる。
【００２７】
また、側壁１５・１６の幅方向寸法（立ち上げた際の高さ）は、筆記するときに上縁に人差し指を添えることになることを考えるとあまり大きく取ることは好ましくなく、小さくとると強度が低下するとともに握りにくくなることも鑑みると８ミリから１６ミリ程度が好適といえる。
【００２８】
さらに、ホルダ部１１の長手方向寸法は、筆記可能状態のホルダ部１１を握ったときに、このホルダ部１１の後端が人差し指と親指との間で保持されていることが望ましいことなどの作業性を鑑みると１００ミリ以上あることが好ましいがこれ以下であっても筆記可能な程度の長さがあれば特に問題はない。
【００２９】
また、ここでは折り込み線１１ｃ・１１ｄの角度を前端縁に対して４５度としているため、折り込み角部１７・１８を折り込んだ際にはペン本体１２の筆記部１２ａが前方に向かってまっすぐに突出するものとなっているが、これに限定されるものではなく、４５度よりも小さな角度に設定するものであってもよい。この場合、筆記部１２ａは設定角度に応じて前方に向かって下向きに突出することになる。
【００３０】
なお、ペン本体１２の筆記部１２ａを保護するためのキャップ１３は、ここでは単なる筒形状のものとしているが、これにクリップを形成し、筆記時には底壁１４や側壁１５・１６の端縁に挟んでおくことによって紛失を防ぐようにしてもよい。またこのクリップ形状は従来筆記具に備えられるクリップのようにキャップ１３の周壁から逆Ｌ字形状に凸設されるものであってもよいが、キャップ１３の天壁中央から長さ方向に向かって割溝状に形成されるものであれば装着時に嵩張らない等の利点が生じる。
【実施例２】
【００３１】
図２ないし図４は本発明にかかる筆記具の第２実施例を示しており、図２の（ａ）、（ｂ）、（ｃ）はそれぞれホルダ部を展開した状態を示す平面図、側面図および斜視図。図３の（ａ）〜（ｃ）はホルダ部を折り畳んで筆記可能な状態になるまでの途中経過を示す斜視図。図４の（ａ）〜（ｄ）は筆記可能な状態になるまでの途中経過を示す正面図である。なお、基本構成としては第１実施例と第２実施例とは同一であり、符号Ｂは筆記具、２１はホルダ部、２１ａ、２１ｂは左右の折り曲げ線、２１ｃ、２１ｄは左右の折り込み線、２２はペン本体、２２ａは筆記部、２３はキャップ、２４、２５、２６はそれぞれ底壁、左右の側壁、２７、２８は左右の折り込み角部、２９は支持部、２９ａは蓋止めを示している。
【００３２】
前記のうち第１実施例との変更点のみ重点的に説明すると、筆記具Ｂのペン本体２２を備える側の折り込み角部２８は短手方向外側に延出し、前端縁に向かって次第に幅広になるように形成されており、この前端縁から前方に向かって延設される支持部２９は、折り込み角部２８を折り込んだときに底壁２４と当接する面を下底、その対向面を上底とする台形を断面とする角柱形状に形成されている。また、支持部２９の下底には戻り留め用の凸部９１・９１が凸設されるとともに、該凸部９１・９１に対応するホルダ部２１側の側壁２５には嵌合穴５１・５１が穿設されている。
【００３３】
さらにホルダ部２１の左右の側壁２５・２６の後部には略カギ状のスリット２５ａ・２６ａがそれぞれ設けられ、この切れ込みによってお互いが係止可能な係止片５２・６２が形成されている。
【００３４】
キャップ２３は、断面視略コ字形状で長手方向の一端部が天板によって閉じられ他端部が開口する略筒形状をしており、側端縁の一方からはクリップ部２３ａが長手方向に渡って略Ｌ字形状に延出し、他方からは前記クリップ部２３ａに対応する押さえ部２３ｂがクリップ部２３ａの下側に延出している。また底壁には装着時に蓋止め２９に当接する位置決め用のストッパ２３ｃが凸設されている。
【００３５】
かかる構成をもつ本実施例の筆記具Ｂは、第１実施例と比べて支持部２９が外側に長く延設されているので、これに嵌挿するペン本体２２の軸部も長くすることができ、インクが長持ちするという利点をもつ。
【００３６】
支持部２９側の凸部９１とホルダ部２１側の側壁２５の嵌合穴５１は、ホルダ部２１を折り曲げたときに嵌合し、側壁２５・２６の前部が元の開いた状態に戻ろうとするのを防ぐ役割をもっている。また、係止片５２・６２は、お互いを係合させることによって側壁２５・２６の後部が元の開いた状態に戻ろうとするのを防ぐ役割をもっている。これら両者の働きによって長時間放置しておいても折り畳んだ形態を崩すことなく、すぐに筆記することができるという利点がある。
【００３７】
また、この第２実施例では支持部２９の断面形状を台形にしているので、底壁２４を持ちやすいように幅広に設定し、人差し指を添える側壁２５・２６の上端縁間の幅を力が入れやすいように幅狭に設定でき、より筆記し易いという利点がある。
【００３８】
キャップ２３は、ペン本体に装着したときにクリップ部２３ａと押さえ部２３ｂとでホルダ部の前端縁を挟持してこれを平坦な状態に保つ役割を兼ねている。なお、筆記時には紛失防止とホルダ部２１の不用意な展開を防ぐ役割を兼ねて側壁２５・２６を重ね合わせて挟持させるようにしてもよい。この場合には前記した凸部９１や嵌合穴５１および係止片５２・６２を形成しなくとも長時間の筆記可能な形態維持が可能となる。
【００３９】
なお、ここではキャップは脱着可能な別体のものとしているが、例えば断面視で略コ字角筒形状のものをヒンジを介して回動自在にホルダ部と一体に形成し、ペン本体に被せるように装着するものであってもよい。
【実施例３】
【００４０】
図５は本発明にかかる筆記具の第３実施例を示しており、図５の（ａ）はホルダ部を筆記可能に折り畳んだ状態、（ｂ）はホルダ部を展開した状態、（ｃ）は携帯し易いように折り畳んだ状態をそれぞれ示す斜視図である。なお、基本構成は第１実施例と同一であり、符号Ｃは筆記具、３１はホルダ部、３１ａ、３１ｂは左右の折り曲げ線、３１ｃ、３１ｄは左右の折り込み線、３２はペン本体、３４、３５、３６はそれぞれ底壁、左右の側壁、３７、３８は左右の折り込み角部、３９は支持部を示している。
【００４１】
この第３実施例では、硬質紙でホルダ部３１を形成し、鉛筆の芯材をペン本体３２としている。さらにペン本体３２は、ホルダ部３１の折り込み角部３７・３８の一方の（ここでは３８）の前端にテープ状の支持部３９によって貼着固定されている。
【００４２】
そしてホルダ部３１には、長手方向略中央に設けた折り曲げ線３１ａ・３１ｂおよび折り込み線３１ｃ・３１ｄに加え、短手方向にも平面視で山折りになる第１の幅方向折り曲げ線３１ｅおよび第２の幅方向折り曲げ線３１ｆ、第３の幅方向折り曲げ線３１ｇを設け、さらに第１の幅方向折り曲げ線３１ｅの手前には左右側壁３５・３６のそれぞれに略半円状のスリットを設けて舌片５３・６３を形成している。
【００４３】
この実施例の筆記具Ｃは、使用しないときには、図５（ｂ）の展開状態から第１から第３の幅方向折り曲げ線３１ｅ・３１ｆ・３１ｇを順次山折りに折り畳み、図５（ｃ）に示すように舌片５３・６３でホルダ部３１の後端縁を係止しておけば、不用意にホルダ部３１が開放するおそれなくポケットや財布に入れて携帯することができる。
【００４４】
なお、ここではペン本体となる鉛筆の芯材はテープでホルダ部の前端に直接貼着固定するものとしたが、これに限定されるものではなく、例えば接着剤によって固定するものであってもよく、また、芯材を支持ホルダに収納固定した後にその支持ホルダをホルダ部に固着するものであってもよい。また、その際の支持ホルダは別体として形成するものに限らず、ホルダ部側の折り込み角部の前端縁から舌片を延出させてこれを例えば筒状に丸めるなどして形成するものであってもよい。
【００４５】
以上の説明にさらに付け加えると、本発明の筆記具では、ホルダ部を平坦に展開することができるのでここに広告等を印刷して販促用品などとしても利用することもできる。また、ホルダ部を硬質紙、ペン本体を鉛筆の芯材としたものは焼却処分が容易なので、マークシートに記入する際の使い捨て鉛筆として配布するなどの利用も可能である。
【００４６】
なお、ホルダ部は矩形に限定するものではなく、例えば後端部の角を丸めたものであったり側端縁を緩やかな曲線形状とするなどしたものであってもよい。また、第１から第３の実施例では２本の折り曲げ線を設けることによって底壁を形成したが、これに限らず、簡易な使い捨ての鉛筆に適用する場合などにはホルダ部の中央に設ける折り曲げ線を１本とし、底壁を形成しないものであってもよい。さらにまた、ホルダ部の両側壁のうちペン本体を支持する側のみに折り込み角部を形成するものであってもよい。
【００４７】
また、書き心地を向上させるために、長手側の両側端縁（折り曲げた際の側壁上端縁）から新たな折り曲げ線を介して舌片を延出し、ホルダ部を筆記可能状態に折り曲げた後にさらに前記折り曲げ線で舌片を折り曲げることによって筆記作業の際の人差し指腹部への当たりを緩和してするようにしてもよい。
【符号の説明】
【００４８】
１１、２１、３１      ホルダ部
１２、２２、３２      ペン本体
１３、２３            キャップ
１４、２４、３４      底壁
１５、２５、３５      側壁（左）
１６、２６、３６      側壁（右）  
１７，２７，３７      折り込み角部（左）
１８，２８，３８      折り込み角部（右）      
１９、２９、３９      支持部    
【要約】
【課題】使用しないときにはホルダ部を扁平に展開させることによって嵩張ることなく持ち運ぶことができ、さらには栞などとしても利用することが可能な筆記具を提供する。
【解決手段】短冊形状の薄板材からなるホルダ部１１の短手方向略中央に長手方向に沿って折り曲げ線１１ａ・１１ｂを設けて底壁１４と左右の側壁１５・１６を形成するとともに、該折り曲げ線１１ａ・１１ｂと長手側端縁との間に、短手側の一端縁から長手側の端縁に渡って斜め方向の折り込み線１１ｃ・１１ｄを設けて折り込み角部１７・１８を形成する。そして前記折り込み角部１７・１８の一方の短手側端縁に短手方向に沿ってペン本体１２を設け、前記折り込み線１１ｃ・１１ｄで折り込み角部１７・１８を内側に折り込み、折り曲げ線１１ａ・１１ｂで側壁１５・１６を折り曲げたときに前記ペン本体１２の筆記部１２ａがホルダ部１１から突出して筆記可能状態となるようにする。
【選択図】図１【図１】
0004755317.tif 000002
【図２】
0004755317.tif 000003
【図３】
0004755317.tif 000004
【図４】
0004755317.tif 000005
【図５】
0004755317.tif 000006